(57)【要約】【課題】  冷却ファンによる温度抑制の効率化及び冷却ファンの回転に伴って発生する騒音の低減等を図る。【解決手段】  中央演算処理装置５の処理に基づいて出力された各種の情報を有する表示画面が表示されるディスプレイ３と、該ディスプレイに情報を表示するために光を照射すると共に輝度の変更が可能な光源１１と、温度上昇の抑制を行うための冷却ファン７と、該冷却ファンの回転数を制御する制御手段８とを設け、中央演算処理装置の温度検出を行うと共に光源の輝度検出を行い、検出した中央演算処理装置の温度及び光源の輝度に基づいて冷却ファンの回転数を制御するようにした。【選択図】図２
2005309962.tif 000002
【特許請求の範囲】
【請求項１】
中央演算処理装置の処理に基づいて出力された各種の情報を有する表示画面が表示されるディスプレイと、
該ディスプレイに情報を表示するために光を照射すると共に輝度の変更が可能な光源と、
温度上昇の抑制を行うための冷却ファンと、
該冷却ファンの回転数を制御する制御手段とを備え、
中央演算処理装置の温度検出を行うと共に光源の輝度検出を行い、検出した中央演算処理装置の温度及び光源の輝度に基づいて冷却ファンの回転数を制御するようにした
ことを特徴とする情報処理装置。
【請求項２】
上記制御手段として組込コントローラーを用い、
該組込コントローラーによって中央演算処理装置の温度及び光源の輝度を読み取り、
読み取った上記温度及び輝度に基づいて組込コントローラーによって補正温度値を算出し、算出した補正温度値に基づいて冷却ファンの回転数を制御するようにした
ことを特徴とする請求項１に記載の情報処理装置。
【請求項３】
上記ディスプレイを筐体に取り付け、
上記中央演算処理装置を上記筐体の内部に配置した
ことを特徴とする請求項１に記載の情報処理装置。
【請求項４】
中央演算処理装置の処理に基づいて出力された各種の情報を有する表示画面が表示されるディスプレイと、該ディスプレイに情報を表示するために光を照射すると共に輝度の変更が可能な光源とを備えた情報処理装置に設けられた冷却ファンの制御方法であって、
中央演算処理装置の温度検出を行うと共に光源の輝度検出を行い、
検出した中央演算処理装置の温度及び光源の輝度に基づいて温度上昇の抑制を行うための冷却ファンの回転数を制御手段によって制御するようにした
ことを特徴とする情報処理装置に設けられた冷却ファンの制御方法。
【発明の詳細な説明】
【技術分野】
【０００１】
本発明は情報処理装置及び情報処理装置に設けられた冷却ファンの制御方法についての技術分野に関する。詳しくは、冷却ファンによる温度抑制の効率化及び冷却ファンの回転に伴って発生する騒音の低減等を図る技術分野に関する。
【背景技術】
【０００２】
パーソナルコンピューターに代表される情報処理装置は、一般に、ディスプレイを有し、このディスプレイに各種の情報を有する表示画面が表示される。ディスプレイとしては、例えば、近年の情報処理装置の小型薄型化を考慮して広く液晶ディスプレイが用いられている。
【０００３】
ディスプレイには光源から出射される映像光が照射されて各種の情報を有する表示画面が表示されるが、このようなディスプレイについては、その駆動時に生じる発熱による温度上昇を抑制し適正な動作温度となるように冷却する必要がある。
【０００４】
従来の情報処理装置には、ディスプレイの温度上昇を抑制するために冷却ファンを用いたものがある（例えば、特許文献１参照）。特許文献１に記載された情報処理装置（投影装置）にあっては、冷却ファンの駆動効率の向上及び騒音の低減を図るために、映像信号のレベルの変化に応じて冷却ファンの回転数を変化させるようにしている。
【０００５】
【特許文献１】特開２００２−２３２６７号公報
【発明の開示】
【発明が解決しようとする課題】
【０００６】
ところが、情報処理装置には、その駆動時に、ディスプレイの他に発熱を生じ得る各部が設けられており、特に、情報処理装置の全体の動作制御やデーターの処理等を行う中央演算処理装置（ＣＰＵ）の発熱量は大きい。
【０００７】
従って、ディスプレイの温度上昇を抑制するだけでは、冷却ファンの駆動効率の十分な向上を図ることができない。
【０００８】
そこで、本発明情報処理装置及び情報処理装置に設けられた冷却ファンの制御方法は、上記した問題点を克服し、冷却ファンによる温度抑制の効率化及び冷却ファンの回転に伴って発生する騒音の低減等を図ることを課題とする。
【課題を解決するための手段】
【０００９】
本発明情報処理装置は、上記した課題を解決するために、中央演算処理装置の処理に基づいて出力された各種の情報を有する表示画面が表示されるディスプレイと、該ディスプレイに情報を表示するために光を照射すると共に輝度の変更が可能な光源と、温度上昇の抑制を行うための冷却ファンと、該冷却ファンの回転数を制御する制御手段とを設け、中央演算処理装置の温度検出を行うと共に光源の輝度検出を行い、検出した中央演算処理装置の温度及び光源の輝度に基づいて冷却ファンの回転数を制御するようにしたものである。
【００１０】
本発明情報処理装置に設けられた冷却ファンの制御方法は、上記した課題を解決するために、中央演算処理装置の温度検出を行うと共に光源の輝度検出を行い、検出した中央演算処理装置の温度及び光源の輝度に基づいて温度上昇の抑制を行うための冷却ファンの回転数を制御手段によって制御するようにしたものである。
【００１１】
従って、本発明情報処理装置及び情報処理装置に設けられた冷却ファンの制御方法にあっては、冷却ファンの回転数が中央演算処理装置の温度及び光源の輝度に応じて変更される。
【発明の効果】
【００１２】
本発明情報処理装置は、中央演算処理装置の処理に基づいて出力された各種の情報を有する表示画面が表示されるディスプレイと、該ディスプレイに情報を表示するために光を照射すると共に輝度の変更が可能な光源と、温度上昇の抑制を行うための冷却ファンと、該冷却ファンの回転数を制御する制御手段とを備え、中央演算処理装置の温度検出を行うと共に光源の輝度検出を行い、検出した中央演算処理装置の温度及び光源の輝度に基づいて冷却ファンの回転数を制御するようにしたことを特徴とする。
【００１３】
従って、冷却ファンの駆動効率の向上を図ることができると共に冷却ファンの回転に伴う騒音の発生を低減することができる。
【００１４】
また、冷却ファンの駆動効率の向上によって、バッテリー駆動時におけるバッテリーの消費電力の節約を図ることができる。
【００１５】
請求項２に記載した発明にあっては、上記制御手段として組込コントローラーを用い、該組込コントローラーによって中央演算処理装置の温度及び光源の輝度を読み取り、読み取った上記温度及び輝度に基づいて組込コントローラーによって補正温度値を算出し、算出した補正温度値に基づいて冷却ファンの回転数を制御するようにしたので、温度制御を容易に行うことができる。
【００１６】
請求項３に記載した発明にあっては、上記ディスプレイを筐体に取り付け、上記中央演算処理装置を上記筐体の内部に配置したので、温度制御を行い易く、温度制御の容易化及び冷却ファンの駆動効率の向上を図ることができる。
【００１７】
本発明情報処理装置に設けられた冷却ファンの制御方法は、中央演算処理装置の処理に基づいて出力された各種の情報を有する表示画面が表示されるディスプレイと、該ディスプレイに情報を表示するために光を照射すると共に輝度の変更が可能な光源とを備えた情報処理装置に設けられた冷却ファンの制御方法であって、中央演算処理装置の温度検出を行うと共に光源の輝度検出を行い、検出した中央演算処理装置の温度及び光源の輝度に基づいて温度上昇の抑制を行うための冷却ファンの回転数を制御手段によって制御するようにしたことを特徴とする。
【００１８】
従って、冷却ファンの駆動効率の向上を図ることができると共に冷却ファンの回転に伴う騒音の発生を低減することができる。
【００１９】
また、冷却ファンの駆動効率の向上によって、バッテリー駆動時におけるバッテリーの消費電力の節約を図ることができる。
【発明を実施するための最良の形態】
【００２０】
以下に、本発明情報処理装置及び情報処理装置に設けられた冷却ファンの制御方法の最良の形態を添付図面に従って説明する。
【００２１】
尚、本発明情報処理装置は、パーソナルコンピューター等の情報処理装置、ＰＤＡ（Personal Digital Assistant）、ネットワーク端末、携帯情報端末、ワークステーション等の各種の情報処理装置に広く適用することができ、本発明情報処理装置に設けられた冷却ファンの制御方法は、上記のような情報処理装置に設けられた冷却ファンの制御方法に広く適用することができる。
【００２２】
以下に示した最良の形態は、本発明情報処理装置をパーソナルコンピューターに適用し、本発明情報処理装置に設けられた冷却ファンの制御方法をパーソナルコンピューターに設けられた冷却ファンの制御方法に適用したものである。
【００２３】
情報処理装置１は筐体２に所要の各部が配置されて成る（図１参照）。筐体２は、例えば、横長の扁平な矩形状に形成され、前面２ａにディスプレイ３、例えば、液晶ディスプレイが設けられている。
【００２４】
情報処理装置１にあっては、ディスプレイ３がタッチパネル（タブレット）とされており、ディスプレイ３に表示された表示画面の所定の位置を指や図示しない専用の入力ペン（スタイラス）によってタップすることにより選択操作や入力操作等の各種の操作を行うことができる。
【００２５】
筐体２の所定の位置には、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインター４ｈ、ファンクション選択釦４ｉ、起動釦４ｊ、輝度変更釦４ｋ等が設けられている。
【００２６】
センター釦４ａ、左釦４ｂ、右釦４ｃはそれぞれマウスの各釦に相当する釦であり、ズーム釦４ｄはディスプレイ３に表示される表示画面の拡大縮小を行う釦であり、ローテーション釦４ｅは表示画面を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインター４ｈはディスプレイ３に表示されるポインターを移動させる等の釦であり、ファンクション選択釦４ｉは出力される音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００２７】
筐体２の内部には図示しないマザーボードが配置され、該マザーボードには、所定の処理を行うための各種の電子部品等、例えば、情報処理装置１の全体の動作制御やデーターの処理等を行う中央演算処理装置（ＣＰＵ）５が搭載されている（図２参照）。中央演算処理装置５には温度センサー６が取り付けられており、該温度センサー６によってＣＰＵの温度が検出される。
【００２８】
筐体２の内部には、該筐体２の内部の温度上昇を抑制するための冷却ファン７が配置され、該冷却ファン７は、例えば、マザーボードの所定の位置に取り付けられている。
【００２９】
情報処理装置１には、冷却ファン７の回転数を制御する制御手段等として機能する組込コントローラー（ＥＣ：Embeded Controler）８、ＲＯＭ（Read Only Memory）に書き込まれたＢＩＯＳ（Basic Input/Output System）９、ＯＳ（Operating System）１０上のユーティリティー１０ａ等が設けられている。尚、組込コントローラー８は、ディスプレイ３に表示可能な仮想入力画面としてのソフトウェアキーボードや上記操作釦４、４、・・・のコントローラーとしても機能する。
【００３０】
ディスプレイ３には光源（バックライト）１１から出射された映像光が照射されて各種の情報を有する表示画面が表示される。光源１１は筐体２の内部において、マザーボードとディスプレイ３との間に配置されている。
【００３１】
上記のように構成された情報処理装置１において、使用者は光源１１の輝度を必要に応じて変更することができる。光源１１の輝度の変更は、輝度変更釦４ｋを操作してディスプレイ３に輝度変更画面１２（図３参照）を表示し、カーソル１３によって所望の輝度を選択することにより行う。
【００３２】
輝度変更画面１２には、例えば、ユーティリティー１０ａから呼び出された９段階の輝度番号を表す表示バー１２ａが設定されており、使用者が選択した輝度番号がユーティリティー１０ａからＢＩＯＳ９に通知され、通知された番号に対応してＢＩＯＳ９が有する輝度値テーブル（図４参照）の輝度値が組込コントローラー８に通知される。組込コントローラー８はＢＩＯＳ９から通知された輝度値となるように光源１１を制御する。従って、組込コントローラー８は光源１１の輝度を制御する輝度制御手段としても機能する。
【００３３】
以下に、情報処理装置１の温度制御機構について説明する（図５参照）。
【００３４】
（Ｓ１）情報処理装置１においては、上記したように、その駆動時に、温度センサー６によって中央演算処理装置５の温度が検出されており、この検出温度が組込コントローラー８によって定期的に読み取られる。
【００３５】
（Ｓ２）同時に組込コントローラー８によって、現在設定されている光源１１の輝度値が読み取られる。
【００３６】
（Ｓ３）（Ｓ２）において読み取られた輝度値に基づいて、組込コントローラー８によって図４に示す輝度値テーブルに示す補正温度値が算出される。
【００３７】
（Ｓ４）（Ｓ３）において算出された補正温度値に基づいて、組込コントローラー８によって（Ｓ１）において読み取った検出温度が補正され、補正後検出温度が算出される。例えば、（Ｓ１）において読み取られた検出温度が３０°Ｃであり、（Ｓ３）において算出された補正温度値が−３°Ｃである場合には、３０°Ｃ−３°Ｃにより補正後検出温度が２７°Ｃと算出される。
【００３８】
（Ｓ５）（Ｓ４）において算出した補正後検出温度に基づいて、冷却ファン７の適正な回転数が算出がされる。冷却ファン７の回転数は、予め設定された情報処理装置１に固有の計算式によって算出され、この計算式は、筐体２の内部構成の設計状態や中央演算処理装置５の発熱状態の変化に対応して温度状態を最適化させるような式が用いられる。
【００３９】
（Ｓ６）（Ｓ５）において算出された回転数で冷却ファン７が回転するように組込コントローラー８によって冷却ファン７が制御される。従って、高い補正後検出温度が算出された場合には冷却ファン７が高速で回転され、低い補正後検出温度が算出された場合には冷却ファン７が低速で回転される。
【００４０】
以上に記載した通り、情報処理装置１にあっては、検出した中央演算処理装置５の温度及び光源１１の輝度に基づいて冷却ファン７の回転数を制御しているため、冷却ファン７の駆動効率の向上を図ることができると共に冷却ファン７の回転に伴う騒音の発生を低減することができる。
【００４１】
また、冷却ファン７の駆動効率の向上によって、バッテリー駆動時におけるバッテリーの消費電力の節約を図ることができる。
【００４２】
さらに、情報処理装置１にあっては、中央演算処理装置５の温度と光源１１の輝度の読取、補正温度値の算出、補正後検出温度の算出及び冷却ファン７の回転数の制御を全て組込コントローラー８によって行っているため、温度制御を容易に行うことができる。
【００４３】
加えて、情報処理装置１にあっては、ディスプレイ３を筐体２に取り付け、中央演算処理装置５を同じ筐体２の内部に配置した構成としているため、温度制御を行い易く、温度制御の容易化及び冷却ファン６の駆動効率の向上を図ることができる。
【００４４】
尚、上記には、現在設定されている光源１１の輝度値を読み取ることにより温度制御を行う例を示したが、例えば、中央演算処理装置５と同様に光源１１にも温度センサーを取り付けて光源１１の温度を検出し、温度制御を行うようにすることも可能である。但し、光源１１は、中央演算処理装置５のように、処理内容に応じて大きく発熱量が変化するということはなく、輝度値を読み取ることにより発熱量の推定が可能であるため、温度センサーを使用しなくても十分な温度制御を行うことができる。
【００４５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４６】
【図１】図２乃至図５と共に本発明の最良の形態を示すものであり、本図は情報処理装置の斜視図である。
【図２】情報処理装置の構成を示す概念図である。
【図３】ディスプレイに輝度変更画面が表示された状態を示す情報処理装置の正面図である。
【図４】輝度値テーブルを示す図である。
【図５】温度制御の手順を示す図である。
【符号の説明】
【００４７】
１…情報処理装置、２…筐体、３…ディスプレイ、５…中央演算処理装置、７…冷却ファン、８…組込コントローラー（制御手段）、１１…光源
【図１】
2005309962.tif 000003
【図２】
2005309962.tif 000004
【図３】
2005309962.tif 000005
【図４】
2005309962.tif 000006
【図５】
2005309962.tif 000007